【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
記録媒体に画像を形成するための画像形成装置であって、
複数のカートリッジを支持する支持部材であって、前記画像形成装置の装置本体の外側に引き出して、前記支持部材に対して前記カートリッジを着脱可能にする引き出し位置と、前記装置本体の内側で前記カートリッジを前記装置本体に位置決めする第１の内側位置と、前記装置本体の内側で前記引き出し位置と前記第１の内側位置のそれぞれに前記支持部材が移動可能な第２の内側位置と、をとる支持部材と、
前記装置本体に設けられて、前記支持部材が前記第１の内側位置に位置する際に前記カートリッジを位置決めする第１の位置決め部と、
前記装置本体に設けられて、前記支持部材が前記第１の内側位置に位置する際に前記カートリッジが前記第１の位置決め部を中心に回転するのを規制する第１の規制部と、
前記支持部材に設けられて、前記支持部材が前記引き出し位置と前記第２の内側位置との間に位置する際に前記カートリッジを位置決めする第２の位置決め部と、
を有し、
前記第２の位置決め部は、前記支持部材が前記第１の内側位置に位置する際は、前記カートリッジと離間した状態になることを特徴とする画像形成装置。
【請求項２】
前記支持部材は、前記引き出し位置と前記第２の内側位置との間を移動する際は、前記支持部材が前記引き出し位置と前記第２の内側位置との間を移動する第１の方向と直交する第２の方向において、前記第１の位置決め部と前記第１の規制部との間を通過することを特徴とする請求項１に記載の画像形成装置。
【請求項３】
更に前記支持部材は、前記カートリッジが前記第２の位置決め部を中心に回転するのを規制する第２の規制部を有することを特徴とする請求項１または２に記載の画像形成装置。
【請求項４】
前記第１の位置決め部及び前記第１の規制部は、前記支持部材が前記第２の内側位置に位置している状態において、前記支持部材が前記引き出し位置と前記第２の内側位置との間を移動する第１の方向において、前記第２の位置決め部と前記第２の規制部との間に位置することを特徴とする請求項３に記載の画像形成装置。
【請求項５】
更に前記画像形成装置は、回転可能なベルトを有し、前記支持部材が前記第１の内側位置に位置する際に前記支持部材に支持された感光体ドラムと前記ベルトが接触し、前記支持部材が前記第２の内側位置に位置する際に前記支持部材に支持された感光体ドラムが前記ベルトから離間することを特徴とする請求項１乃至４のいずれか１項に記載の画像形成装置。
【請求項６】
記録媒体に画像を形成するための画像形成装置であって、複数のカートリッジを支持する支持部材であって、前記画像形成装置の装置本体の外側に引き出して、前記支持部材に対して前記カートリッジを着脱可能にする引き出し位置と、前記装置本体の内側で前記カートリッジを前記装置本体に位置決めする第１の内側位置と、前記装置本体の内側で前記引き出し位置と前記第１の内側位置のそれぞれに前記支持部材が移動可能な第２の内側位置と、をとる支持部材と、前記装置本体に設けられて、前記支持部材が前記第１の内側位置に位置する際に前記カートリッジを位置決めする第１の位置決め部と、前記装置本体に設けられて、前記支持部材が前記第１の内側位置に位置する際に前記カートリッジが前記第１の位置決め部を中心に回転するのを規制する第１の規制部と、前記支持部材に設けられて、前記支持部材が前記引き出し位置と前記第２の内側位置との間に位置する際に前記カートリッジを位置決めする第２の位置決め部と、を有する画像形成装置に着脱可能なカートリッジであって、
前記第１の位置決め部と係合する第１の被位置決め部と、
前記第１の規制部と係合する第１の被規制部と、
前記第２の位置決め部と係合する第２の被位置決め部と、
を有し、
前記第２の被位置決め部は、前記支持部材が前記第１の内側位置に位置する際は、前記第２の位置決め部と離間した状態になることを特徴とするカートリッジ。
【請求項７】
前記カートリッジは、電子写真感光体に形成された静電潜像を現像する為の現像カートリッジであることを特徴とする請求項６に記載のカートリッジ。
【請求項８】
前記カートリッジは、電子写真感光体と、前記電子写真感光体に作用するプロセス手段を有するプロセスカートリッジであることを特徴とする請求項６に記載のカートリッジ。
【請求項９】
前記第１の被位置決め部は、電子写真感光体である感光体ドラムと同軸線上に設けられている請求項６乃至８のいずれか１項に記載のカートリッジ。
【請求項１０】
更に前記カートリッジは、前記支持部材に設けられた第２の規制部と係合し、前記カートリッジが前記第２の位置決め部を中心に回転するのを規制する第２の被規制部を有することを特徴とする請求項６乃至９のいずれか１項に記載のカートリッジ。
【請求項１１】
前記カートリッジの重心は、前記支持部材が前記引き出し位置と前記第２の内側位置との間を移動する第１の方向において、前記第２の被位置決め部と前記第２の被規制部との間に設けられていることを特徴とする請求項１０に記載のカートリッジ。
【手続補正２】
【補正対象書類名】明細書
【補正対象項目名】００１７
【補正方法】変更
【補正の内容】
【００１７】
上記の目的を達成するための本発明に係る画像形成装置の代表的な構成は、
記録媒体に画像を形成するための画像形成装置であって、
複数のカートリッジを支持する支持部材であって、前記画像形成装置の装置本体の外側に引き出して、前記支持部材に対して前記カートリッジを着脱可能にする引き出し位置と、前記装置本体の内側で前記カートリッジを前記装置本体に位置決めする第１の内側位置と、前記装置本体の内側で前記引き出し位置と前記第１の内側位置のそれぞれに前記支持部材が移動可能な第２の内側位置と、をとる支持部材と、
前記装置本体に設けられて、前記支持部材が前記第１の内側位置に位置する際に前記カートリッジを位置決めする第１の位置決め部と、
前記装置本体に設けられて、前記支持部材が前記第１の内側位置に位置する際に前記カートリッジが前記第１の位置決め部を中心に回転するのを規制する第１の規制部と、
前記支持部材に設けられて、前記支持部材が前記引き出し位置と前記第２の内側位置との間に位置する際に前記カートリッジを位置決めする第２の位置決め部と、
を有し、
前記第２の位置決め部は、前記支持部材が前記第１の内側位置に位置する際は、前記カートリッジと離間した状態になることを特徴とする。
【手続補正３】
【補正対象書類名】明細書
【補正対象項目名】００１８
【補正方法】変更
【補正の内容】
【００１８】
また、上記の目的を達成するための本発明に係るカートリッジの代表的な構成は、
記録媒体に画像を形成するための画像形成装置であって、複数のカートリッジを支持する支持部材であって、前記画像形成装置の装置本体の外側に引き出して、前記支持部材に対して前記カートリッジを着脱可能にする引き出し位置と、前記装置本体の内側で前記カートリッジを前記装置本体に位置決めする第１の内側位置と、前記装置本体の内側で前記引き出し位置と前記第１の内側位置のそれぞれに前記支持部材が移動可能な第２の内側位置と、をとる支持部材と、前記装置本体に設けられて、前記支持部材が前記第１の内側位置に位置する際に前記カートリッジを位置決めする第１の位置決め部と、前記装置本体に設けられて、前記支持部材が前記第１の内側位置に位置する際に前記カートリッジが前記第１の位置決め部を中心に回転するのを規制する第１の規制部と、前記支持部材に設けられて、前記支持部材が前記引き出し位置と前記第２の内側位置との間に位置する際に前記カートリッジを位置決めする第２の位置決め部と、を有する画像形成装置に着脱可能なカートリッジであって、
前記第１の位置決め部と係合する第１の被位置決め部と、
前記第１の規制部と係合する第１の被規制部と、
前記第２の位置決め部と係合する第２の被位置決め部と、
を有し、
前記第２の被位置決め部は、前記支持部材が前記第１の内側位置に位置する際は、前記第２の位置決め部と離間した状態になることを特徴とする。